(57)【要約】      （修正有）【課題】電子基板上の電子部品の十分な実装面積を確保できる携帯型折畳式電子機器を得ること。【解決手段】ヒンジ部を介して開閉可能に接続される第１、第２の筐体と、電子部品が実装され、それぞれ該第１、第２の筐体に収納される第１、第２の電子基板部１ａ、２ａと、それぞれの一端が該第１、第２の電子基板部１ａ、２ａの端部と電気的に接続されて一体化成形され、他端部が前記ヒンジ部の空部に延在する第１、第２のフレキシブルプリント基板部１ｂ、２ｂと、前記第１、第２のフレキシブルプリント基板部１ｂ、２ｂの両他端部を電気的・機械的に接続し、前記ヒンジ部の空部に収納される接続部３と、を備えた。【選択図】      図２
2004273555.tif 000002
【特許請求の範囲】
【請求項１】
ヒンジ部を介して開閉可能に接続される第１、第２の筐体と、
電子部品が実装され、それぞれ該第１、第２の筐体に収納される第１、第２の電子基板部と、
それぞれの一端が該第１、第２の電子基板部と電気的に接続されて一体化成形され、他端部が前記ヒンジ部の空部に延在する第１、第２のフレキシブルプリント基板部と、
前記第１、第２のフレキシブルプリント基板部の両他端部を電気的・機械的に接続し、前記ヒンジ部の空部に収納される接続部と、
を備えたことを特徴とする携帯型折畳式電子機器。
【請求項２】
ヒンジ部を介して開閉可能に接続される第１、第２の筐体と、
電子部品が実装される電子基板部と一端がこの電子基板部に電気的に接続されて一体化成形されたフレキシブルプリント基板部とから成り、該電子基板部が前記筐体に収納され、該フレキシブルプリント基板部の他端部が前記ヒンジ部の空部に延在する第１、第２のリジッドフレキシブル基板と、
前記両他端部を電気的・機械的に接続し、前記ヒンジ部の空部に収納される接続部と、
を備えたことを特徴とする携帯型折畳式電子機器。
【請求項３】
前記接続部は前記ヒンジ部のヒンジまたは回動軸に係止されていることを特徴とする請求項１または２に記載の携帯型折畳式電子機器。
【請求項４】
前記接続部は、前記両他端部を重ね合わせて巻き込んだ状態で前記ヒンジ部の空部に収納されていることを特徴とする請求項１〜３のいずれか一つに記載の携帯型折畳式電子機器。
【請求項５】
前記接続部は、電気コネクタであることを特徴とする請求項１〜４のいずれか一つに記載の携帯型折畳式電子機器。
【請求項６】
前記電気コネクタは、円柱形であり、その外周に沿って前記重ね合わせた他端部を巻き込んでいることを特徴とする請求項５に記載の携帯型折畳式電子機器。
【請求項７】
前記電気コネクタは、前記ヒンジまたは回動軸と一体成形されていることを特徴とする請求項５または６に記載の携帯型折畳式電子機器。
【請求項８】
前記接続部の接続手段として異方性導電体を用いていることを特徴とする請求項１〜４のいずれか一つに記載の携帯型折畳式電子機器。
【請求項９】
ヒンジ部を介して開閉可能に接続される第１、第２の筐体と、
電子部品が実装され、それぞれ該第１、第２の筐体に収納される第１、第２の電子基板部と、
それぞれの一端が該第１、第２の電子基板部と異方性導電体により接続され、他端が前記ヒンジ部の空部に延在する第１、第２のフレキシブルプリント基板部と、
前記第１、第２のフレキシブルプリント基板部の両他端部を電気的・機械的に接続し、前記ヒンジ部の空部に収納される接続部と、
を備えたことを特徴とする携帯型折畳式電子機器。
【発明の詳細な説明】
【０００１】
【発明の属する技術分野】
本発明は、携帯電話や携帯型情報機器等の携帯型折畳式電子機器に関するものであり、特に、小型化や電子部品の実装の高密度化に好適なものである。
【０００２】
【従来の技術】
従来の折畳式携帯電話は、ヒンジ部を介して開閉可能に接続される受話部筐体及び送話部筐体と、電子部品と電気コネクタが実装され、それぞれ受話部筐体及び送話部筐体に収納される第１、第２の電子基板と、中間部がヒンジ部の空部で螺旋状に巻き回され両端部がそれぞれ電気コネクタに接続されるフレキシブルプリント基板と、を備えて概ね構成されていて、第１、第２の電子基板における電気コネクタ及びフレキシブルプリント基板の実装スペース（実装面積及び実装高さ）は、かなり大きなものとなっていた（例えば、特許文献１及び２参照）。
【０００３】
【特許文献１】
特開２００２−３００２４７号公報（図４）
【特許文献２】
特開２００２−６４６０４号公報（図２）
【０００４】
【発明が解決しようとする課題】
携帯電話や携帯型情報機器等の携帯型折畳式電子機器は、携帯の利便のために年々小型化の要求が強くなり、電子基板上の電子部品実装面積が確保しにくくなっている。電子部品も小型化されてきてはいるが、機器の高機能化の要求もあり部品点数が増え、また、電気コネクタのためのスペース（実装面積及び実装高さ）も必要とするので、これらの部品の電子基板上の十分な実装面積を得ること、及び小型化、薄型化することは、ますます困難になってきている。
【０００５】
この発明は上記に鑑みてなされたもので、電子基板上に実装されている電気コネクタを無くし、その空きスペースに電子部品を実装することにより電子部品の実装面積を確保し、また、小型化、薄型化した携帯型折畳式電子機器を得ることを目的としている。
【０００６】
【課題を解決するための手段】
上記目的を達成するために、この発明にかかる携帯型折畳式電子機器は、ヒンジ部を介して開閉可能に接続される第１、第２の筐体と、電子部品が実装され、それぞれ該第１、第２の筐体に収納される第１、第２の電子基板部と、それぞれの一端が該第１、第２の電子基板部の端部と電気的に接続されて一体化成形され、他端部が前記ヒンジ部の空部に延在する第１、第２のフレキシブルプリント基板部と、前記第１、第２のフレキシブルプリント基板部の両他端部を電気的・機械的に接続し、前記ヒンジ部の空部に収納される接続部と、を備えたことを特徴とする。
【０００７】
【発明の実施の形態】
以下に添付図面を参照して、この発明にかかる携帯型折畳式電子機器の好適な実施の形態を詳細に説明する。
【０００８】
実施の形態１．
図１〜図５を用いて本発明の実施の形態１を説明する。図１は第１、第２のリジッドフレキシブル基板を電気コネクタで接続した状態の側面図、図２は電気コネクタをフレキシブルプリント基板部で巻き込んだ状態の側面図、図３は円柱形の電気コネクタをフレキシブルプリント基板部で巻き込んだ状態の側面図、図４は対向接続型コネクタを採用した場合の側面図、図５は折畳式携帯電話の筐体の一部破断斜視図である。
【０００９】
図において、第１の筐体としての受話部筐体４１は、矩形のボックス状をなし、下端両側には２つの第１のヒンジ４３ａを備えている。第２の筐体としての送話部筐体４２は、矩形のボックス状をなし上端両側には２つの第２のヒンジ４３ｂを備えている。第１、第２のヒンジには両側から２つの回動軸４３ｃが挿入され、受話部筐体４１と送話部筐体４２とは、回動（開閉）可能に接続される。ヒンジ部４３の中央部は空部４３ｄとなっている。
【００１０】
リジッドフレキシブルシブル基板とは、複数の信号線やアース線の導体パターンを可撓性を有する絶縁シートで被覆したフレキシブルプリント基板部の一端と、ガラス繊維や有機繊維の織布・不織布に熱硬化性樹脂を含浸させたプリプレグにプリント配線金属箔を貼付した電子基板部と、を重ね合わせ（２枚の電子基板部でフレキシブルプリント基板部を挟む構造でも良い。）、加熱・加圧して一体化成形し、スルーホール等で両者を電気的に接続したものである。従って、リジッドフレキシブル基板１、２は、電子基板部１ａ、２ａとフレキシブルプリント基板部１ｂ、２ｂとの接続に電気コネクタを必要としないものである。第１のリジッドフレキシブル基板１は、受話部筐体４１に収納設置され、第２のリジッドフレキシブル基板２は、送話部筐体４２に収納設置され、その電子基板部１ａ、２ａには、高密度に電子部品が実装される。また、フレキシブルプリント基板部１ｂ、２ｂの他端部は、ヒンジ部４３の空部４３ｄまで延長されている。
【００１１】
電気コネクタ３は、外形が角柱状で、フレキシブルプリント基板部１ｂ、２ｂの他端のタブを重ね合わせるようにした状態で挿入することによりフレキシブルプリント基板部１ｂ、２ｂを電気的・機械的に接続する。図１に示すようにタブを重ね合わせるようにして電気コネクタ３に挿入し、図２に示すように電気コネクタ３を芯にしてフレキシブルプリント基板部１ｂ、２ｂを巻き込んだ形で図５のヒンジ部４３の空部４３ｄ内に収納する。
【００１２】
図２に示す電気コネクタ３は、外形が角柱状であるが、図３に示すように外形が円柱状の電気コネクタ１３を採用しても良い。電気コネクタの外形を円柱状にすることにより、フレキシブルプリント基板部１ｂ、２ｂの巻き込み部に電気コネクタの角が接触しフレキシブルプリント基板部１ｂ、２ｂを損傷させるようなことを避けることができる。
【００１３】
電気コネクタ３、１３の端部を回動軸４３ｃやヒンジ４３ａに係止するようにするか、あるいは、電気コネクタ３、１３を回動軸４３ｃやヒンジ４３ａと一体成形することにより、空部４３ｄ内で電気コネクタ３、１３の位置が固定され、フレキシブルプリント基板部１ｂ、２ｂが経年変形して撓み、空部４３ｄのカバー（図示せず）と接触して摩擦・磨耗することを避けることができる。
【００１４】
電気コネクタ３、１３を受話部筐体４１と供回りするように固定すれば、受話部筐体４１が開いていくとき、コネクタ３、１３も供回りするので、図２に示すフレキシブルプリント基板部１ｂの巻き半径Ｒ１は変化せず、フレキシブルプリント基板部２ｂの巻き半径Ｒ２は巻き込まれて小さくなるので、フレキシブルプリント基板部１ｂと２ｂの接触摩擦は回避できる。
【００１５】
電気コネクタ３、１３を送話部筐体４２と供回りするように固定すれば、受話部筐体４１が開いていくとき、コネクタ３、１３は、受話部筐体４１と供回りしないので、図２に示すフレキシブルプリント基板部１ｂの巻き半径Ｒ１は大きくなり、フレキシブルプリント基板部２ｂの巻き半径Ｒ２は変化せず、フレキシブルプリント基板部１ｂと２ｂの接触摩擦は回避できるが、フレキシブルプリント基板部１ｂの巻き半径Ｒ１が大きくなるので、空部４３ｄのカバー（図示せず）と接触して摩擦する可能性が高くなる。従って、コネクタ３、１３を受話部筐体４１と供回りするように固定する方が良い。
【００１６】
図４に示すように対向接続型の電気コネクタ５３を採用しても良い。この場合、フレキシブルプリント基板部１ｂと２ｂは、図に垂直方向に位置をずらして配置され、電気コネクタ５３に接続される。電気コネクタ５３の端部を回動軸４３ｃやヒンジ４３ａに係止するようにするか、あるいは、電気コネクタ５３を回動軸４３ｃやヒンジ４３ａと一体成形することにより、空部４３ｄ内で電気コネクタ５３の位置が固定され、フレキシブルプリント基板部１ｂ、２ｂが経年変形して撓み、空部４３ｄのカバー（図示せず）と接触して摩擦・磨耗することを避けることができる。
【００１７】
本実施の形態の携帯電話では、フレキシブルプリント基板部１ｂ、２ｂ接続用の電気コネクタが電子基板部１ａ、２ａ上には必要ないため従来技術に比較して電子基板部１ａ、２ａ上を広く電子部品の実装に利用することができる。あるいは、電気コネクタのためのスペース分だけ電子基板部１ａ、２ａを小型化することができる。また、電気コネクタの高さ方向のスペースを必要としないので、携帯電話を薄型化することができる。
【００１８】
実施の形態２．
図６及び図７を用いて本発明の実施の形態２を説明する。図６は第１、第２のリジッドフレキシブル基板を異方性導電体で接続した状態の側面図、図７は接続部をフレキシブルプリント基板部で巻き込んだ状態の側面図である。
【００１９】
図６に示すように、フレキシブルプリント基板部１ｂ、２ｂの他端のタブ電極の間に異方性導電体２３を挟み、治具３３によりタブを挟んで加熱・加圧して接合し、図７に示すように接合部を芯にするようにしてフレキシブルプリント基板部１ｂ、２ｂを巻き込み、図５のヒンジ部４３の空部４３ｄ内に収納する。
【００２０】
接合部を係止具（図示せず）により回動軸４３ｃやヒンジ４３ａに係止することにより、空部４３ｄ内で接合部の位置が固定され、フレキシブルプリント基板部１ｂ、２ｂが経年変形して撓み、空部４３ｄのカバー（図示せず）と接触して摩擦・磨耗することを避けることができる。
【００２１】
図示はしないが、フレキシブルプリント基板部１ｂと２ｂとを対向させて配置し、両タブ電極の間に異方性導電体２３を挟んで重ね合わせ、治具３３によりタブを挟んで加熱・加圧して接合し、従来例と同じように螺旋巻きし、この螺旋巻き部を空部４３ｄに収納するようにしても良い。
【００２２】
本実施の形態の携帯電話では、従来技術に比較して電子基板部１ａ、２ａ上を広く電子部品の実装に利用することができる。あるいは、電気コネクタのためのスペース分だけ電子基板部１ａ、２ａを小型化することができるという実施の形態１と同様な効果を奏する上に、電気コネクタ接続に比べ接続部がコンパクトになる。
【００２３】
実施の形態３．
図８を用いて本発明の実施の形態３を説明する。図８は第１、第２の電子基板部と第１、第２のフレキシブルプリント基板部の一端とを異方性導電体で接続し、他端を電気コネクタで接続し、電気コネクタをフレキシブルプリント基板部で巻き込んだ状態の側面図である。
【００２４】
図８に示すように、フレキシブルプリント基板部１１ｂ、１２ｂの一端のタブ電極と電子基板部１１ａ、１２ａの電極との間に異方性導電体２３を挟み、図示しない治具により加熱・加圧して接合する。他は実施の形態１と同様である。
【００２５】
本実施の形態の携帯電話では、実施の形態１及び２に比較して、異方性導電体２３による接合のために電子基板部１１ａ、１２ａ上に若干の面積を必要とするが、従来技術のように電気コネクタを利用する場合に比べて高さ方向の寸法は小さくて済み、実装空間全体としては小型化が可能となり、携帯電話を薄型化できる。
【００２６】
以上説明した実施の形態では、携帯電話の例を説明したが、本発明は携帯型折畳式情報機器等にも適用することができる。
【００２７】
【発明の効果】
以上説明したように、この発明にかかる携帯型折畳式電子機器によれば、電子基板部とフレキシブルプリント基板部とを一体化成形し、フレキシブルプリント基板部の他端部を接続する接続部をヒンジ部の空部に収納したので、電子基板部上の電子部品の十分な実装面積を確保することができる。
【図面の簡単な説明】
【図１】この発明の実施の形態１を示すリジッドフレキシブル基板を電気コネクタで接続した状態の側面図である。
【図２】電気コネクタをフレキシブルプリント基板部で巻き込んだ状態の側面図である。
【図３】円柱形の電気コネクタをフレキシブルプリント基板部で巻き込んだ状態の側面図である。
【図４】対向接続型コネクタを採用した場合の側面図である。
【図５】折畳式携帯電話の筐体の一部破断斜視図である。
【図６】この発明の実施の形態２を示すリジッドフレキシブル基板を異方性導電体で接続した状態の側面図である。
【図７】接続部をフレキシブルプリント基板部で巻き込んだ状態の側面図である。
【図８】この発明の実施の形態３を示す電子基板部とフレキシブルプリント基板部の一端とを異方性導電体で接続し他端を電気コネクタで接続した状態の側面図である。
【符号の説明】
１、２  リジッドフレキシブル基板、１ａ、２ａ、１１ａ、１２ａ  電子基板部、１ｂ、２ｂ、１１ｂ、１２ｂ  フレキシブルプリント基板部、３、１３、５３  電気コネクタ、２３  異方性導電体、４１  第１の筐体（受話部筐体）、４２  第２の筐体（送話部筐体）、４３  ヒンジ部、４３ｃ  回動軸、４３ｄ  空部。
【図１】
2004273555.tif 000003
【図２】
2004273555.tif 000004
【図３】
2004273555.tif 000005
【図４】
2004273555.tif 000006
【図５】
2004273555.tif 000007
【図６】
2004273555.tif 000008
【図７】
2004273555.tif 000009
【図８】
2004273555.tif 000010